(57)【要約】【課題】光ファイバコードが配管内に引き戻されることを防止する。【解決手段】長さ方向の少なくとも一部が螺旋状にカールした光カールコード１００の端部に付設された光コネクタ１０１を保持する保持部２０と、少なくとも一部が配管１１０の端部から内部に挿入された状態で保持部２０を支持する支持片２１とを有する戻り防止治具Ｃを備える。戻り防止治具Ｃの保持部２０に光コネクタ１０１を保持させるとともに支持片２１を配管１１０の端部から内部に挿入すれば、戻り防止治具Ｃによって光カールコード１００が配管１１０内に引き戻されることを防止できる。【選択図】        図１
2006119230.tif 000002
【特許請求の範囲】
【請求項１】
光通信線を建物内に配線するに当たって建物内に布設された筒状の配管に光通信線としての光ファイバコードを通線するための配管通線装置であって、長さ方向の少なくとも一部が螺旋状にカールした光カールコードからなる前記光ファイバコードの端部又は該端部に付設された光コネクタを保持する保持部と、少なくとも一部が配管の端部から内部に挿入された状態で前記保持部を支持する支持部とを有する戻り防止治具を備えたことを特徴とする光ファイバコードの配管通線装置。
【請求項２】
前記光ファイバコードの端部又は前記光コネクタを保持する保持部と、光ファイバコードを牽引するための呼び線が接続される接続部と、少なくとも牽引方向と略直交する平面内で回動自在に前記保持部と前記接続部を連結する連結部とを有する牽引治具を備えたことを特徴とする請求項１記載の光ファイバコードの配管通線装置。
【請求項３】
一方の開口径が前記配管の内径よりも大きく且つ他方の開口径が前記配管の内径と同じ若しくは小さい漏斗形に形成された本体部と、該本体部の小径の開口側に設けられて前記配管の端部に固定される固定部とを有する送り込み治具を備えたことを特徴とする請求項１又は２記載の光ファイバコードの配管通線装置。
【請求項４】
前記光ファイバコードのカールした部分に内挿される内挿部と、該内挿部における前記光ファイバコードの長手方向に沿った両端部で当該光ファイバコードを抜け止めする抜け止め部とを有して前記配管内に収容されるコード収容治具を備えたことを特徴とする請求項１〜３の何れかに記載の光ファイバコードの配管通線装置。
【発明の詳細な説明】
【技術分野】
【０００１】
本発明は、光通信線を建物内に配線するに当たって建物内に布設された筒状の配管に光通信線としての光ファイバコードを通線するための配管通線装置に関するものである。
【背景技術】
【０００２】
近年、一般家庭へのインターネットの普及に伴い、高速・大容量のデータ通信が可能なデータ伝送路として光ファイバが普及しつつある。建物内に光ファイバコードを配線するに当たって、光ファイバコードを保護する観点から建物内に布設した配管を用いる場合がある（例えば、特許文献１参照）。
【０００３】
ところで建物内に配線する際、光ファイバコードを必要な長さに切り取るとともに端部に光コネクタを取り付ける作業が必要であったが、かかる作業は熟練の作業者が高価な光ファイバ用カッタなどの専用治具を用いて行わなければならず、作業効率が低いものであった。また光ファイバコードには伝送損失を損なわない最小曲げ半径が規定されており、余った部分については最小曲げ半径を下回らないように束ねる処理（余長処理）が必要なため、さらに作業効率が低下していた。
【０００４】
これに対して、長さ方向の少なくとも一部が螺旋状にカールし、長さ方向の両端における非カール部の先端にそれぞれ光コネクタが付設された光ファイバコード（以下、「光カールコード」と呼ぶ）が提供され始めている。図１３に示すように、かかる光カールコード１２０を配管１１０内に配線すれば、光カールコード１２０が伸縮する範囲で種々の長さの配管１１０に対応することが可能となり、施工現場で光ファイバコード１２０をカットしたり光コネクタ１２１を付設する作業が減少あるいは不要になる。ここで、光コネクタ１２１の許容張力と通線時の摩擦力を考慮すると、光コネクタ１２１を把持して通線可能であることが判っている。
【特許文献１】特開２００３−１２５５２０号公報
【発明の開示】
【発明が解決しようとする課題】
【０００５】
ところが、配管内に通線した光カールコードはカールした部分に生じる復元力によって縮もうとするため、光カールコードの端部又は端部に付設されている光コネクタが配管内に引き込まれてしまうことがあり、光カールコードを建物内の機器などに接続する際に作業に支障をきたす虞がある。
【０００６】
本発明は上記事情に鑑みて為されたものであり、その目的は、光ファイバコードが配管内に引き戻されることを防止した光ファイバコードの配管通線装置を提供することにある。
【課題を解決するための手段】
【０００７】
請求項１の発明は、上記目的を達成するために、光通信線を建物内に配線するに当たって建物内に布設された筒状の配管に光通信線としての光ファイバコードを通線するための配管通線装置であって、長さ方向の少なくとも一部が螺旋状にカールした光カールコードからなる前記光ファイバコードの端部又は該端部に付設された光コネクタを保持する保持部と、少なくとも一部が配管の端部から内部に挿入された状態で前記保持部を支持する支持部とを有する戻り防止治具を備えたことを特徴とする。
【０００８】
請求項２の発明は、請求項１の発明において、前記光ファイバコードの端部又は前記光コネクタを保持する保持部と、光ファイバコードを牽引するための呼び線が接続される接続部と、少なくとも牽引方向と略直交する平面内で回動自在に前記保持部と前記接続部を連結する連結部とを有する牽引治具を備えたことを特徴とする。
【０００９】
請求項３の発明は、請求項１又は２の発明において、一方の開口径が前記配管の内径よりも大きく且つ他方の開口径が前記配管の内径と同じ若しくは小さい漏斗形に形成された本体部と、該本体部の小径の開口側に設けられて前記配管の端部に固定される固定部とを有する送り込み治具を備えたことを特徴とする。
【００１０】
請求項４の発明は、請求項１〜３の何れかの発明において、前記光ファイバコードのカールした部分に内挿される内挿部と、該内挿部における前記光ファイバコードの長手方向に沿った両端部で当該光ファイバコードを抜け止めする抜け止め部とを有して前記配管内に収容されるコード収容治具を備えたことを特徴とする。
【発明の効果】
【００１１】
請求項１の発明によれば、戻り防止治具の保持部に光ファイバコード（光カールコード）の端部又は光コネクタを保持させるとともに支持部を配管の端部から内部に挿入すれば、戻り防止治具によって光ファイバコードが配管内に引き戻されることを防止でき、配管通線装置による通線作業の作業性が向上するという効果がある。
【００１２】
請求項２の発明によれば、予め配管内に通線した呼び線の端を牽引治具の接続部に接続するとともに保持部に光ファイバコード（光カールコード）の端部又は光コネクタを保持させた状態で呼び線を反対側から配管の外へ引き出せば、呼び線に接続された牽引治具を介して光ファイバコードが牽引されて配管内に通線されるが、保持部と接続部を連結する連結部が少なくとも牽引方向と略直交する平面内で回動自在であるため、牽引中に光ファイバコードに生じる撚れを連結部の回動によって戻すことができるという効果がある。
【００１３】
請求項３の発明によれば、配管の端部から光ファイバコードを挿入する際、固定部によって配管の端部に固定された漏斗形の本体部を通して光ファイバコードを挿入することにより、光ファイバコードを配管内にスムーズに挿入することができるという効果がある。
【００１４】
請求項４の発明によれば、配管に通線した後に配管内に挿入されなかった光ファイバコードの余長部分にコード収容治具の内挿部を内挿し且つ内挿部における光ファイバコードの長手方向に沿った両端部で光ファイバコードを抜け止め部で抜け止めした状態でコード収容治具を配管内に収容すれば、光ファイバコードの余長部分をスムーズに配管内に収容できるとともに余長部分が伸縮することによる不具合の発生が防止できるという効果がある。
【発明を実施するための最良の形態】
【００１５】
以下、図面を参照して本発明の実施形態を詳細に説明する。
【００１６】
（実施形態１）
本実施形態の配管通線装置は、牽引治具Ａ、送り込み治具Ｂ、戻り防止治具Ｃ、コード収容治具Ｄを備える。
【００１７】
牽引治具Ａは、図３に示すように光カールコード１００の端部に付設された光コネクタ１０１を保持する保持部１と、光カールコード１００を牽引するための呼び線１０２が接続される接続部２と、少なくとも牽引方向と略直交する平面内で回動自在に保持部１と接続部２を連結する連結部３とを有する。
【００１８】
保持部１は、合成樹脂により一端側が開口した角筒状に形成され、開口を通して内部に圧入された光コネクタ１０１を保持するものである。但し、保持部１が光コネクタ１０１を保持する方法は圧入に限定されるものではなく、それ以外の周知の方法でも構わない。保持部１の底壁には中央に貫通孔１ａが設けられるとともに内底面における貫通孔１ａの周囲には球面状の凹所１ｂが形成されている。また貫通孔１ａは内側の開口径に対して外側の開口径が大きくなるようにテーパ状に形成されている。
【００１９】
接続部２は、楕円体形状の主体２ａと、主体２ａの一面側の中央に突出する半円環状の接続環２ｂとを有し、接続環２ｂに呼び線の端が結ばれて接続される。連結部３は、接続部２の主体２ａにおける接続環２ｂと反対面側の中央に突出する円柱状の支持体３ａと、球体の一部をなす鉢状であって球面の中央で支持体３ａの先端と結合された回動体３ｂとを有する。尚、接続部２と連結部３とは、例えば、金属材料によって一体に構成されている。そして、回動体３ｂを保持部１の内側に収めるようにして支持体３ａを保持部１の貫通孔１ａに挿通することにより、牽引方向（図３における矢印イの方向）と略直交する平面内で回動自在に保持部１と接続部２とが連結部３によって連結される。さらに保持部１の内底面には凹所１ｂが形成されるとともに、支持体３ａが挿通される貫通孔１ａがテーパ状に形成されているため、図３（ａ）〜（ｃ）に示すように牽引方向と略平行する平面内においても保持部１に対して接続部２が回動自在となっている。
【００２０】
而して、予め配管１１０内に通線した呼び線の端を牽引治具Ａの接続部２の接続環２ｂに結んで接続するとともに保持部１に光コネクタ１０１を保持させた状態で呼び線を反対側から配管の外へ引き出せば、呼び線に接続された牽引治具Ａを介して光カールコード１００が牽引されて配管１１０内に通線される。ここで、保持部１と接続部２とが固定されていた場合、牽引中に光カールコード１００が撚れてしまい、その撚れに起因して光カールコード１００が最小曲げ半径以下に曲がってしまうといった不具合が生じる虞があるが、本実施形態では、保持部１と接続部２を連結する連結部３を牽引方向（図３における矢印イの方向）と略直交する平面内で回動自在としているから、牽引中に光カールコード１００に生じる撚れを連結部３の回動によって戻すことができる。さらに、牽引方向と略平行する平面内においても保持部１に対して接続部２が回動自在となっているため、図３（ａ）及び（ｃ）に示すように配管１１０が曲がる向きに接続部２が回動して配管１１０の曲がった部分を牽引治具Ａがスムーズに通過することができる。
【００２１】
ところで、図４に示すように保持部１における底壁以外の部分を軸方向に２分割して半円柱状の半割体１ｃ，１ｄを形成し、底壁と一体である一方の半割体１ｃと他方の半割体１ｄを薄肉部１ｅで開閉自在に連結する構成としてもよい。２つの半割体１ｃ，１ｄの結合面には各々光コネクタ１０１が嵌合する嵌合溝１ｆ，１ｇが凹設されており、一方の半割体１ｃの嵌合溝１ｆに光コネクタ１０１を嵌合した状態で他方の半割体１ｄを閉じて嵌合溝１ｇに光コネクタ１０１を嵌合すれば、保持部１によって光コネクタ１０１を保持することができる。このような構成とすれば、保持部１に光コネクタ１０１を保持させる作業が容易になるという利点がある。尚、図示は省略しているが、２つの半割体１ｃ，１ｄには結合状態でロックされる従来周知のロック機構が設けられる。
【００２２】
次に送り込み治具Ｂについて説明する。
【００２３】
牽引治具Ａを介して呼び線で光カールコード１００を牽引する際、配管１１０内に送り込まれる光カールコード１００が配管１１０の端縁に接触することによって送り込みの抵抗が増大するため、呼び線の牽引力が増加して光カールコード１００への負担が増えてしまったり、配管１１０の端縁で光カールコード１００の外被に傷がつくといった不具合が生じる虞がある（図５参照）。
【００２４】
そこで本実施形態では、配管１１０内に光カールコード１１０を送り込む際の抵抗を低減するとともに光カールコード１００の外被に傷がつくのを防止するための送り込み治具Ｂを備えている。この送り込み治具Ｂは、図６に示すように一方の開口径が配管１１０の内径よりも大きく且つ他方の開口径が配管１１０の内径よりも小さい漏斗形に形成された本体部１０と、本体部１０の小径の開口側に設けられて配管１１０の端部に固定される固定部とを有する。固定部は配管１１０内に挿入される円筒形の小径部１１と、配管１１０の端部に外挿されて小径部１１との間で配管１１０の端部を狭持する円筒形の大径部１２とからなる。尚、本体部１０と小径部１１並びに大径部１２とは合成樹脂成型品として一体に形成される。
【００２５】
而して、図７に示すように小径部１１を配管１１０内に挿入すると同時に大径部１２を配管１１０の端部に外挿することで送り込み治具Ｂが配管１１０の端部に固定され、送り込み治具Ｂの本体部１０を通して光カールコード１１０が配管１１０内に送り込まれるが、光カールコード１１０が送り込まれる本体部１０が漏斗形に形成してあるために光カールコード１１０が端縁に接触し難くなり、光カールコード１００を配管１１０内にスムーズに挿入することができ、呼び線の牽引力が増加して光カールコード１００への負担が増えたり、配管１１０の端縁で光カールコード１００の外被に傷がつくといった不具合の発生が防止できる。
【００２６】
次に戻り防止治具Ｃについて説明する。
【００２７】
従来技術でも説明したように配管１１０内に通線した光カールコード１００はカールした部分に生じる復元力によって縮もうとするため、光カールコード１００の端部に付設されている光コネクタ１０１が配管１１０内に引き込まれてしまうことがあり、光カールコード１００を建物内の機器などに接続する際に作業に支障をきたす虞がある。
【００２８】
そこで本実施形態では、光カールコード１００が配管１１０内に引き戻されることを防止するための戻り防止治具Ｃを備えている。この戻り防止治具Ｃは、図２に示すように光コネクタ１０１を保持する保持部２０と、配管１１０の端部から内部に挿入された状態で保持部２０を支持する支持部とを有する。保持部２０は、光カールコード１００の外径よりも大きく且つ光コネクタ１０１の外径よりも小さい開口径を有した円筒形に形成されるとともに内外に通じる縦溝２０ａが軸方向に沿って設けられている。支持部は、保持部２０の一方の開口縁からそれぞれ後方へ突出する４本の支持片２１からなり、支持片２１同士の間隔が保持部２０から遠ざかるにつれて拡がるように配設されている。ここで、保持部２０と支持片２１とは合成樹脂成型品として一体に形成されており、４本の支持片２１は互いに近付く向きに撓み自在となっている。
【００２９】
而して、図１（ａ）（ｂ）に示すように配管１１０に通線された光カールコード１００の先端部分を縦溝２０ａを通して保持部２０内に挿入することで光コネクタ１０１を保持部２０に保持させた状態で、支持片２１を撓ませながら配管１１０内に挿入すると、配管１１０内で元に戻ろうとする支持片２１の先端が蛇腹状に形成されている配管１１０内壁の凹凸に引っ掛かるから（図１（ｃ）参照）、戻り防止治具Ｃによって光カールコード１００が配管１１０内に引き戻されることが防止できて通線作業の作業性が向上するものである。なお、支持片２１の先端を配管１１０の内径より大きく拡げることで、戻り防止治具Ｃを配管１１０の端部に引っ掛ける方法は自明である。
【００３０】
最後にコード収容治具Ｄについて説明する。
【００３１】
配管１１０に通線された光カールコード１１０に余り（余長部分）が生じた場合、その余長部分を配管１１０内に収容する必要がある。ところが、光カールコード１１０は長手方向に伸縮する特性を有しているので、余長部分を配管１１０内にスムーズに収容することができない場合がある。
【００３２】
そこで本実施形態では、光カールコード１１０の余長部分を配管１１０内にスムーズに収容するためのコード収容治具Ｄを備えている。このコード収容治具Ｄは、図８及び図９に示すように光カールコード１００のカールした部分に内挿される内挿部３０と、内挿部３０における光カールコード１００の長手方向に沿った両端部で光カールコード１００を抜け止めする抜け止め部３１，３１とを有する。内挿部３０は、合成樹脂により両端が開口した円筒形に形成されている。また抜け止め部３１は、内挿部３０の端部に圧入される短筒状の圧入部３１ａと、圧入部３１ａの一端側に設けられた円板状の鍔部３１ｂと、鍔部３１ｂの周縁より圧入部３１ａと平行に突出して光カールコード１１０を引っ掛ける複数（４つ）の爪３１ｄとが合成樹脂成型品として一体に形成されている。尚、鍔部３１ｂには光カールコード１１０が挿通される複数（３個）の溝３１ｃが形成されている。
【００３３】
而して、図９（ａ）に示すように光カールコード１１０の余長部分（カールした部分）に内挿部３０を内挿した後、内挿部３０の両端開口に圧入部３１ａを圧入して抜け止め部３１を取り付け、図９（ｂ）に示すように爪３１ｄに引っ掛けた後に何れかの溝３１ｃに挿通することで光カールコード１１０をコード収容治具Ｄに収容し、図９（ｃ）に示すように光カールコード１１０を収容したコード収容治具Ｄを配管１１０内に差し込めば、光カールコード１００の余長部分をスムーズに配管１１０内に収容できるとともに余長部分が伸縮することによる不具合の発生が防止できる。
【００３４】
（実施形態２）
本実施形態は、牽引治具Ａの構造に特徴があり、その他の構成については実施形態１と共通である。
【００３５】
本実施形態における牽引治具Ａは、図１０に示すように光カールコード１００及び光コネクタ１０１を保持する保持部と、光カールコード１００を牽引するための呼び線１０２が接続される接続部５と、牽引方向と略直交する平面内で回動自在に保持部４と接続部５を連結する連結部６とを有する。保持部は、布やビニルテープなどで帯状に形成された一対の保持帯４ａ，４ｂからなり、光カールコード１００並びに光コネクタ１０１に螺旋状に巻き付けて両者を保持する。但し、各保持帯４ａ，４ｂは互いに逆向きに巻き付けることが望ましい。また接続部５は、円板形の主片５ａと、主片５ａの一面側に設けられた半円環状の接続環５ｂとを有し、接続環２ｂに呼び線１０２の端が結ばれて接続される。連結部６は、円板形の主片６ａと、主片６ａの一面側に設けられて保持帯４ａ，４ｂの端部が接続される半円環状の接続環６ｂと、接続部５の主片５ａ中央に貫通する挿通孔と主片６ａ中央に貫通する挿通孔とにそれぞれ挿通されて両主片５ａ，６ａを互いに回動自在に連結する連結金具６ｃとを有する。
【００３６】
而して、予め配管１１０内に通線した呼び線１０２の端を牽引治具Ａの接続部５の接続環５ｂに結んで接続するとともに保持帯４ａ，４ｂを互いに逆向きに巻き付けることで光カールコード１１０並びに光コネクタ１０１を保持させた状態で呼び線１０２を反対側から配管の外へ引き出せば、呼び線１０２に接続された牽引治具Ａを介して光カールコード１００が牽引されて配管１１０内に通線される。そして、連結部６によって接続片５の主片５ａと連結部６の主片６ａとが牽引方向と略直交する平面内で回動自在となっているから、牽引中に光カールコード１００に生じる撚れを戻すことができる。
【００３７】
（実施形態３）
本実施形態は、戻り防止治具Ｃの構造に特徴があり、その他の構成については実施形態１又は２と共通である。
【００３８】
本実施形態における戻り防止治具Ｃは、図１１に示すように光コネクタ１０１を保持する保持部２２と、配管１１０の端部から内部に挿入された状態で保持部２２を支持する支持部２３とを有する。保持部２２は、円板形の大径片２２ａと、大径片２２ａよりも小さい外径を有して大径片２２ａの一面より突出する円柱形の小径片２２ｂとからなり、大径片２２ａと小径片２２ｂの中心軸には光コネクタ１０１の端部及び光カールコード１１０の端部が挿通される挿通孔２２ｃが設けられ、この挿通孔２２ｃに通じる縦溝２２ｄが軸方向に沿って大径片２２ａ及び小径片２２ｂに形成されている。支持部２３は、配管１１０の内径よりも小さくない外径を有した円柱形であって保持部２２の小径片２２ｂと連結した主体２３ａと、主体２３ａの先端に設けられた円錐台形の差込体２３ｂとからなり、主体２３ａと差込体２３ｂの中心軸にも光カールコード１１０の端部が挿通される挿通孔２３ｃが設けられるとともに、この挿通孔２３ｃに通じ且つ保持部２２の縦溝２２ｄと直線上に繋がった縦溝２３ｄが軸方向に沿って主体２３ａ及び差込体２３ｄに形成されている。尚、保持部２２と支持部２３とは合成樹脂成型品として一体に形成されている。
【００３９】
而して、図１１（ａ）（ｂ）に示すように配管１１０に通線された光カールコード１００の先端部分を縦溝２２ｄ及び２３ｄを通して保持部２２並びに支持部２３の挿通孔２２ｃ，２３ｃ内に挿入することで光コネクタ１０１を保持部２２に保持させた状態で、支持部２３の差込体２３ｂを配管１１０内に差し込むとともに主体２３ａを配管１１０の端部に圧入することによって（図１１（ｃ）参照）、光カールコード１００が配管１１０内に引き戻されることが戻り防止治具Ｃにより防止できる。
【００４０】
（実施形態４）
本実施形態は、戻り防止治具Ｃの構造に特徴があり、その他の構成については実施形態１又は２と共通である。
【００４１】
本実施形態における戻り防止治具Ｃは、図１２に示すように側面が開口する扁平な箱形に形成され、開口面に隣接する前面に設けられて光カールコード１１０が挿入される幅細の保持溝２４と、開口面に隣接し且つ前面と対向する背面に設けられて配管１１０の端部が挿入して固定される略円形の配管固定孔２５とを有する。
【００４２】
而して、図１２（ａ）（ｂ）に示すように配管１１０に通線された光カールコード１００の先端部分を保持溝２４及び配管固定孔２５に通すことで光コネクタ１０１を保持させ、配管１１０の端部を配管固定孔２５に挿入し、蛇腹状の配管１１０外周面における谷部分に配管固定孔２５の周縁を係止して固定することにより（図１２（ｃ）参照）、光カールコード１００が配管１１０内に引き戻されることが戻り防止治具Ｃにより防止できる。
【図面の簡単な説明】
【００４３】
【図１】（ａ）〜（ｃ）は実施形態１における戻り防止治具の使用方法を説明するための一部省略した斜視図である。
【図２】同上の戻り防止治具の斜視図である。
【図３】（ａ）〜（ｃ）は同上における牽引治具の使用方法を説明するための一部省略した断面図である。
【図４】他の構造の牽引治具を示し、（ａ）は正面図、（ｂ）は右側面図である。
【図５】配管内に光カールコードを送り込む状態を示した斜視図である。
【図６】同上における送り込み治具を示し、（ａ）は斜視図、（ｂ）は配管に固定された状態の断面図である。
【図７】（ａ）（ｂ）は同上における送り込み治具の使用方法を説明するための一部省略した斜視図である。
【図８】同上におけるコード収容治具の平面図である。
【図９】（ａ）〜（ｃ）は同上におけるコード収容治具の使用方法を説明するための一部省略した斜視図である。
【図１０】実施形態２における牽引治具の斜視図である。
【図１１】（ａ）〜（ｃ）は実施形態３における戻り防止治具の使用方法を説明するための一部省略した斜視図である。
【図１２】（ａ）〜（ｃ）は実施形態４における戻り防止治具の使用方法を説明するための一部省略した斜視図である。
【図１３】一般住宅への配管を利用した光ファイバコードの先行配線の様子を示す概略図である。
【符号の説明】
【００４４】
Ｃ  戻り防止治具
２０  保持部
２１  支持片
１００  光カールコード
１０１  光コネクタ
１１０  配管
【図１】
2006119230.tif 000003
【図２】
2006119230.tif 000004
【図３】
2006119230.tif 000005
【図４】
2006119230.tif 000006
【図５】
2006119230.tif 000007
【図６】
2006119230.tif 000008
【図７】
2006119230.tif 000009
【図８】
2006119230.tif 000010
【図９】
2006119230.tif 000011
【図１０】
2006119230.tif 000012
【図１１】
2006119230.tif 000013
【図１２】
2006119230.tif 000014
【図１３】
2006119230.tif 000015